(57)【要約】      （修正有）【課題】配管への装着が容易であり、配管に装着するスペースが狭い場合にも設置スペースの縁に沿って、または壁や床に沿って設置することができる配管孔用化粧カバーを提供する。【解決手段】配管孔用化粧カバーは、底部に配管嵌合孔２を形成した椀状本体１の一個所が切断され、該切断部３に雄雌転結部が形成され、該雄雌連結部から外れた湾曲部に直線状の肉薄カット部７を形成してなり、好ましくは、配管嵌合孔２の周縁に円形の肉薄カット部８を形成してなる。【選択図】図１
0003229924.tif 000002
【実用新案登録請求の範囲】
【請求項１】
底部に配管嵌合孔を形成した椀状本体の一個所が切断され、該切断部に雄雌連結部が形成され、該雄雌連結部から外れた湾曲部に直線状の肉薄カット部を形成したことを特徴とする配管孔用化粧カバー。
【請求項２】
配管嵌合孔の周縁に円形の肉薄カット部を形成したことを特徴とする請求項１に記載の配管孔用化粧カバー。
【請求項３】
椀状本体の開口縁部の内周に延長カバーの連結部を形成したことを特徴とする請求項１又は２に記載の配管孔用化粧カバー。
【考案の詳細な説明】
【技術分野】
【０００１】
本考案は、住宅の壁や床に形成された配管孔を塞ぐ配管孔用化粧カバーに関する。
【背景技術】
【０００２】
従来、住宅に空気調和機を設置する場合のように、壁や床に配管穴を設けて配管を貫通させた場合、その配管穴周縁の化粧作業を容易にするとともに、配管穴周縁を見栄え良く仕上げることができる配管穴化粧カバーが提案されている（特許文献１）。
【０００３】
前記の配管穴化粧カバーは、中央に配管嵌合穴を有する環状の板に、その外周部から中心に向かう１つの切断部を設け、この切断部を挟んで対向する２つの端部のうちの一方の端部に掛止部を設け、他方の端部に前記掛止部を掛止する複数の被掛止部を多段に設けたことを特徴にしている。
【０００４】
前記の配管穴化粧カバーは、切断部より配管に嵌めて中央の配管嵌合穴に配管を挿通し、次いで、切断部を重ね合わせて皿状にしながら配管にくい込ませ、しかるのち、掛止部を対応する被掛止部に係止すれば、配管に装着できるとしている。
【先行技術文献】
【特許文献】
【０００５】
【特許文献１】公開実用新案昭６３−１７３８５号公報
【考案の概要】
【考案が解決しようとする課題】
【０００６】
前記の配管穴化粧カバーは、環状の板材からなり、皿状に変形させながら配管にくい込ませて装着している。本考案は、配管に装着の際に変形させる必要がなく、配管への装着が容易であり、さらに配管に装着するスペースが狭い場合に、設置スペースの縁に沿って、または壁や床に沿って設置することができる配管孔用化粧カバーを提供することを目的とする。
【課題を解決するための手段】
【０００７】
本考案の配管孔用化粧カバーは、底部に配管嵌合孔を形成した椀型本体の1個所が切断され、該切断部に雄雌連結部が形成され、該雄雌連結部を外した湾曲部に直線状の肉薄カット部を形成したことを特徴とする（請求項１）。
【０００８】
前記の本考案は、椀型本体の１個所が切断され、該切断部に雄雌連結部が形成されているため、該雄雌連結部の連結を一旦解除して配管に後付けすることができる。さらに、予め、椀型に形成されているため、その開口縁部をそのまま壁や床に密着させた状態で設置することができる。
【０００９】
また、雄雌連結部を外した湾曲部に直線状のカット部を形成したため配管に装着するスペースが狭い場合に直線状の肉薄カット部を切断し、設置スペースの縁に沿って、または壁や床に沿って設置することができる。
【００１０】
本考案の一実施例は、配管嵌合孔の周縁に円形の肉薄カット部を形成したのことを特徴とする（請求項２）。この円形の肉薄カット部は複数形成してもよい。この実施の一形態によれば、予め、円形の肉薄カット部を切断し、配管嵌合孔を使用配管の外径に合わせて装着することができる。
【００１１】
本考案の他の一実施例は、椀状本体の開口縁部の内周部に延長カバーの連結部を形成したことを特徴とする（請求項３）。この実施の一形態によれば、延長カバー側にも予め適合する連結部を形成し、前記の化粧カバーが延長を必要とする場合には該延長カバーを連結して対応することができる。
【考案の効果】
【００１２】
本考案によれば、配管に装着する際に変形させる必要がなく、配管への装着が容易であり、さらに配管に装着するスペースが狭い場合に、設置スペースの縁に沿って、または壁や床に沿って設置することができる。
【図面の簡単な説明】
【００１３】
【図１】本考案の一実施例を示し、配管孔用化粧カバーの正面図である。
【図２】本考案の配管孔用化粧カバーの側面図である。
【図３】本考案の配管孔用化粧カバーの雄雌転結部を解除した状態を示す背面図である。
【図４】延長カバーの連結状態を示す側面図である。
【考案を実施するための形態】
【００１４】
以下に、図面を参考に本考案の一実施例を説明する。
【００１５】
本発明の配管孔用化粧カバー（以下単に「化粧カバー」という。）は、ゴム、プラスチックなどの伸縮性且つ容易には変形しない材料を使用して一体成形によって形成される。
【００１６】
全体が椀状の椀状本体１の底部を開放して配管嵌合孔２が形成される。さらに、椀状本体１の一個所に切断部３が形成される。該切断部３の形成は配管に対して化粧カバーの後付けを可能にする。
【００１７】
さらに、前記切断部３には雄雌連結部４が形成される。図面実施例では、切断部３の一方端部の内側に凸部５を形成し、切断部３の他方端部を延長して前記凸部５が嵌合する係止孔６を構成し、雄雌連結部部４が表面に露出しないように形成している。
【００１８】
さらに、前記雄雌連結部４を外した湾曲部に直線状の肉薄カット部７が形成される。図面実施例では該直線状の肉薄カット部７は前記雄雌連結部４の両側位置にそれぞれ形成されている。なお、前記それぞれの直線状の肉薄カット部７は、必要時の切断を容易にするため湾曲部の内面を細溝に削って形成されている。
【００１９】
さらに、前記配管嵌合孔２の周縁には円形の肉薄カット部８が形成される。該肉薄カット部８も前記直線状の肉薄カット部７と同様に必要時の切断を容易にするため配管嵌合孔２の周縁の内面を細溝に削って形成される。
【００２０】
図中、９は椀状本体１の開口縁部１０の内周に形成した延長カバー１１との凸状の連結部であり、所定の間隔を開けて設けられている。
【００２１】
延長カバー１１は、その片側に前記椀状本体１の開口縁部１０の内側に嵌合する適合部１２が形成され、該適合部１２に前記椀状本体１の開口縁部１０に所定の間隔を開けて設けられた凸状の連結部９が嵌合する係合孔１３が所定の間隔を開けて設けられている。
【００２２】
前記本考案の化粧カバーは、図２に示すように、配管１４に後付け等によって装着され、その開口縁部１０が壁面１５に密着させられて配管孔を塞いで化粧効果を発揮するものである。また、必要とする場合には、前記直線状の薄肉カット部７及び円形の肉薄カット部８が切断されて使用される。さらには予め用意した延長カバー１１が連結されて使用される。
【符号の説明】
【００２３】
１    椀状本体
２    配管嵌合孔
３    切断部
４    雄雌連結部
７    直線状の肉薄カット部
８    円形の肉薄カット部
１１  延長カバー
【図１】
0003229924.tif 000003
【図２】
0003229924.tif 000004
【図３】
0003229924.tif 000005
【図４】
0003229924.tif 000006